(57)【要約】【目的】  平行移動により複数枚の戸本体を面一状態に並ばせる構成でありながら、平行移動する戸本体を長期間スムーズに開閉させることができる引き違い戸を提供する。【構成】  スライド式の戸本体１０Ａ，Ｂ，Ｃを上レール２０Ａ，Ｂ，Ｃにより懸吊支持する。上レール２０Ａ，Ｂ，Ｃを、隣接する上レール２０Ａ，Ｃが上レール２０Ｂに対して相対的に平行移動するように構成し、戸本体１０Ａ，Ｂ，Ｃを面一状態に閉じたときに接近させ、戸本体１０Ａ，Ｂ，Ｃを開いたときに、それらの戸本体１０Ａ，Ｂ，Ｃが重なり合うように離反させる。戸本体１０Ａ，Ｃの平行移動に上レール２０Ａ，Ｃが追従するため、戸本体１０Ａ，Ｂ，Ｃが開閉及びこれに伴う平行移動を行っても、これらの戸本体１０Ａ，Ｂ，Ｃと、対応する上レール２０Ａ，Ｂ，Ｃとの相対的な位置関係が変わらない。【選択図】  図４
2005188070.tif 000002
【特許請求の範囲】
【請求項１】
複数枚のスライド式の戸本体を閉じたときに、複数枚の戸本体が面一状態に並ぶ引き違い戸において、複数枚の戸本体に対応してその上方に平行に設けられ、隣接する２本の一方が他方に対して相対的に平行移動するように構成され、複数枚の戸本体を面一状態に閉じたときに接近し複数枚の戸本体を開いたときに離反する複数本の相対移動可能な上レールと、複数枚の戸本体を対応する上レールに沿ってスライド可能に支持し、複数枚の戸本体を閉じたときに接近して並んだ複数本の上レールに対して複数枚の戸本体が面一状態に並ぶように、対応する戸本体を支持する複数の支持機構と、隣接する２枚の戸本体を連結し、複数枚の戸本体を開けるときに隣接する２枚の戸本体が重なり合うように一方の戸本体を他方の戸本体に対して、対応する上レールと共に離反状態へ相対的に平行移動させる連結機構とを具備することを特徴とする引き違い戸。
【請求項２】
前記連結機構は、隣接する２枚の戸本体の一方の側縁部上面に回動レバーを取付けると共に、該回動レバーに設けられたカムピンが挿入される直線状のカム溝を他方の戸本体の上面に形成し、前記回動レバーが他方の戸本体の側へ回動した状態で両方の戸本体をスライド可能に離反させ、両方の戸本体が面一に並んだ状態で前記カムピンが前記カム溝の端部に形成された係合部に嵌合し、該係合部に支持された案内ピンを支点に回動レバーが他方の戸本体の側へ回動する構成である請求項１に記載の引き違い戸。
【請求項３】
複数枚の戸本体の下端を１本の下レールにより案内し、下レールに対して平行移動する戸本体と下レールとを平行移動方向に伸縮可能な案内機構により連結した請求項１に記載の引き違い戸。
【請求項４】
前記案内機構は、下レールに対して平行移動する戸本体の下面にレバーを回動可能に取付け、該レバーの先端部に、下レールにスライド自在に係合するガイドピンを取付け、前記レバーにより戸本体を下レールから離れた平行状態に保持する構成である請求項３に記載の引き違い戸。
【発明の詳細な説明】
【技術分野】
【０００１】
本発明は、開口部の開閉に使用される引き違い戸に関し、更に詳しくは、複数枚のスライド式の戸本体を閉じたときにそれらの戸本体が面一状態に並ぶ引き違い戸に関する。
【背景技術】
【０００２】
閉じたときに複数枚の戸本体が面一状態に並ぶ引き違い戸としては、様々なものが提案されているが、それらに共通するのは、例えば特許文献１に見られるような、固定式の上下レールに対して戸本体を平行リンク機構により平行移動させる構成である。
【０００３】
【特許文献１】特許第３０８０３４９号公報
【０００４】
この構成を今少し詳しく説明すると、複数枚の戸本体に対応する複数本の上下レールが戸本体の上下に所定の間隔で平行に固定されている。複数枚の戸本体が開くときは、各戸本体が対応する上下レールに普通にガイドされる。複数枚の戸本体を閉じたときは、隣接する２枚の戸本体の一方が、他方に対して面一状態に並ぶよう平行リンク機構により平行移動する。かくして、複数枚のスライド式の戸本体を閉じたときにそれらの戸本体が面一状態に並ぶことになる。
【０００５】
ここで問題なのは、平行リンク機構により平行移動可能に支持された戸本体の動きが徐々に悪くなることである。即ち、この平行リンク機構においては、ガイドレールに係合するガイドローラの側が基部側となり、この基部側に対して、戸本体が２本の平行レバーで片支持される。これにより、戸本体は、ガイドレールに対して接近離反し、面一状態から重合可能な複列状態へ変化したり、重合可能な複列状態から面一状態へ変化するが、戸本体の荷重が２本の平行レバーの先端部に付加され、その結果、基部側に位置するガイドローラは、ガイドレールに対して強く捻じられることになる。
【０００６】
即ち、閉じたときに複数枚の戸本体が面一状態に並ぶ従来の引き違い戸では、平行移動する戸本体が平行リンク機構により片支持されることに起因して、基部側でガイドローラとガイドレールに不自然な力が加わり、使用を続ける過程で両者の位置関係が変るため、その戸本体の動きが悪くなるのである。
【発明の開示】
【発明が解決しようとする課題】
【０００７】
本発明はかかる事情に鑑みて創案されたものであり、戸本体を平行移動させて、複数枚の戸本体を面一状態に並ばせる構成でありながら、平行移動する戸本体を長期間スムーズに開閉させることができる引き違い戸を提供することを目的とする。
【課題を解決するための手段】
【０００８】
上記目的を達成するために、本発明に係る引き違い戸は、複数枚のスライド式の戸本体を閉じたときに、複数枚の戸本体が面一状態に並ぶ引き違い戸において、複数枚の戸本体に対応してその上方に平行に設けられ、隣接する２本の一方が他方に対して相対的に平行移動するように構成され、複数枚の戸本体を面一状態に閉じたときに接近し複数枚の戸本体を開いたときに離反する複数本の相対移動可能な上レールと、複数枚の戸本体を対応する上レールに沿ってスライド可能に支持し、複数枚の戸本体を閉じたときに接近して並んだ複数本の上レールに対して複数枚の戸本体が面一状態に並ぶように、対応する戸本体を支持する複数の支持機構と、隣接する２枚の戸本体を連結し、複数枚の戸本体を開けるときに隣接する２枚の戸本体が重なり合うように一方の戸本体に対して他方の戸本体を、対応する上レールと共に離反状態へ相対的に平行移動させる連結機構とを具備している。
【０００９】
本発明に係る引き違い戸においては、複数枚の戸本体をガイドする複数本の上レールが相対的な平行移動が可能な非固定式とされている。そして、複数枚の戸本体を面一状態に閉じたときに複数本の上レールが接近し、複数枚の戸本体を開くときに隣接する２枚の戸本体が重なり合うように一方の戸本体に対して他方の戸本体が、対応する上レールと共に離反状態へ相対的に平行移動する。このため、複数枚の戸本体が開閉及びこれに伴う平行移動を行っても、これらの戸本体と対応する上レールとの相対的な位置関係は変わらない。したがって、複数枚の戸は長期間スムーズな動作を維持できる。
【００１０】
前記連結機構としては、隣接する２枚の戸本体の一方の側縁部上面に回動レバーを取付けると共に、該回動レバーに設けられたカムピンが挿入される直線状のカム溝を他方の戸本体の上面に形成し、前記回動レバーが他方の戸本体の側へ回動した状態で両方の戸本体をスライド可能に離反させ、両方の戸本体が面一に並んだ状態で前記カムピンが前記カム溝の端部に形成された係合部に嵌合し、該係合部に支持された案内ピンを支点に回動レバーが他方の戸本体の側へ回動する構成のものが、構造が簡単で好ましい。
【００１１】
下レールに関しては、複数枚の戸本体の下端を１本の下レールにより案内し、下レールに対して平行移動する戸本体と下レールとを平行移動方向に伸縮可能な案内機構により連結する構成が、構造が簡単で好ましい。
【００１２】
前記案内機構としては、下レールに対して平行移動する戸本体の下面にレバーを回動可能に取付け、該レバーの先端部に、下レールにスライド自在に係合するガイドピンを取付け、前記レバーにより戸本体を下レールから離れた平行状態に保持する構成のものが、構造が簡単で好ましい。
【発明の効果】
【００１３】
本発明に係る引き違い戸は、複数枚の戸本体をガイドする複数本の上レールを相対的な平行移動が可能な非固定式とし、戸本体の開閉に伴う平行移動の際、対応する上レールを戸本体と共に平行移動させ、両者の位置関係を変えない構成を採用したので、両者間の捻じれなどによる動作障害の発生を回避し、長期間スムーズな開閉動作を保証することができる。
【発明を実施するための最良の形態】
【００１４】
以下に本発明の実施形態を図面に基づいて説明する。図１は本発明の一実施形態に係る引き違い戸の上レールの平面図、図２は同引き違い戸の戸本体の正面図、図３は上レールのリンク部を離反状態について示す平面図、図４は図３中のＡ−Ａ線矢示図、図５は上レールのリンク部を接近状態について示す平面図、図６は同リンク部の側面図、図７は隣接する戸本体間の連結機構を示す平面図、図８（ａ）〜（ｃ）は同引き違い戸が開く過程を段階的に示す平面図、図９（ａ）〜（ｃ）は同引き違い戸が開く過程を段階的に示す平面図、図１０は同引き違い戸の下端部を案内する案内機構の正面図、図１１（ａ）〜（ｄ）は同案内機構の動作を段階的に示す平面図である。
【００１５】
本実施形態に係る引き違い戸は、図１及び図２に示すように、開口部を３枚のスライド式の戸本体１０Ａ，１０Ｂ，１０Ｃにより開閉するものであり、ガイドレールとして、戸本体１０Ａ，１０Ｂ，１０Ｃに各対応する３本の平行な上レール２０Ａ，２０Ｂ，２０Ｃ（図３〜図６参照）と、戸本体１０Ａ，１０Ｂ，１０Ｃの間で共用する１本の下レール３０（図１０及び図１１参照）とを備えている。
【００１６】
３本の上レール２０Ａ，２０Ｂ，２０Ｃは、開閉すべき開口部の上側の桟材の下面に平行に取付けられる。詳しく説明すると、図３〜図６に示すように、前記桟材の下面に固定される長尺のベース板２１の下側に、複数本（ここでは３本）の垂直な支持軸２２により中央の上レール２０Ｂが固定されており、その両側には、両側の上レール２０Ａ，２０Ｃが、複数本（ここでは３本）の水平な回動式の支持レバー２３を用いた平行リンク機構により平行移動可能に支持されている。
【００１７】
中央の上レール２０Ｂは、水平部、水平部の側縁部から下方へ垂下した垂直部、及び垂直部の下端部に形成されたローラ受け部からなる。一方、中央の戸本体１０Ｂの両側部上面には、１組のローラ１１Ｂ，１１Ｂが、Ｌ字状の支持金具１２，１２により取付けられている。そして、ローラ１１Ｂ，１１Ｂが前記上レール２０Ｂのローラ受け部に係合することにより、中央の戸本体１０Ｂは中央の上レール２０Ｂによってスライド自在に懸吊支持されている。
【００１８】
上レール２０Ｂを挟む両側の上レール２０Ａ，２０Ｃは、前述したとおり隣接する中央の上レール１０Ｃに対して平行移動が可能である。即ち、上レール２０Ａ，２０Ｃは、平行に配置された複数の支持レバー２３の両端部に垂直なピン２４により回動可能に支持されており、各支持レバー２３は、中央部が前記支持軸２２の上部に回動可能に支持されている。
【００１９】
ここで、各支持レバー２３は、スプリング２５，２５により、中央の上レール２０Ｂに沿う方向に付勢されている。即ち、スプリング２５，２５は、両側の上レール２０Ａ，２０Ｃを互いに引き寄せるべく、上レール２０Ａを支持するピン２４と他方の上レール２０Ｃに取付けられたピン２６との間、及び上レール２０Ｃを支持するピン２４と他方の上レール２０Ａに取付けられたピン２６との間に、それぞれ引っ張り状態で掛け設けられている。
【００２０】
これにより、両側の上レール２０Ａ，２０Ｃは、外力を受けない状態では、中央の上レール２０Ｂに接近した平行状態に保持され、両側への外力を受けたときは、上レール２０Ｂから離れる方向へ平行移動する。
【００２１】
両側の上レール２０Ａ，２０Ｃの各構造は、中央の上レール２０Ｂと基本的に同一であり、水平部の下方に片支持式のローラ受け部を設けたものとなっている。そして、両側の戸本体１０Ａ，１０Ｃの上方に垂直な平板状の支持金具１３，１３により取付けられたローラ１１Ａ，１１Ｃが前記ローラ受け部に係合することにより、両側の上レール２０Ａ，２０Ｃは両側の戸本体１０Ａ，１０Ｂをスライド自在に懸吊支持している。なお、ローラ１１Ａ，１１Ｃは、前記ローラ１１Ｂと同様、戸本体１０Ａの両側部上面及び戸本体１０Ｃの両側部上面に２個ずつ設けられている。
【００２２】
ここで注意すべきは次の２点である。第１に、両側の上レール２０Ａ，２０Ｃは、中央の上レール２０Ｂより上方に位置している。このため、ローラ１１Ａ，１１Ｃを支持する支持金具１３，１３は、ローラ１１Ｂを支持する支持金具１２より長く設計されている。第２に、両側の上レール２０Ａ，２０Ｃの一方（２０Ａ）は、戸本体１０Ａの反中央側に変位し、他方（２０Ｃ）も戸本体１０Ａの反中央側に変位している。この変位のため、支持金具１３，１３は戸本体１０Ａ，１０Ｂの各上端部の反中央側の面にそれぞれ取付けられている。
【００２３】
このような支持機構により、両側の上レール２０Ａ，２０Ｃは、中央の上レール２０Ｂに最も接近した平行状態で、３枚の戸本体１０Ａ，１０Ｂ，１０Ｃを面一状態に縦列させるべく、互いの干渉を回避することができる（図５及び図６）。また、両側の上レール２０Ａ，２０Ｃが中央の上レール２０Ｂから最も離れた平行状態では、３枚の戸本体１０Ａ，１０Ｂ，１０Ｃを厚み方向へ所定の隙間をもって分離することができる（図３及び図４）。
【００２４】
なお、４０は両側の上レール２０Ａ，２０Ｃの一方（２０Ａ）にアングル２７により取付けられた垂直なカバーである。
【００２５】
戸本体１０Ａ，１０Ｂ，１０Ｃは、開口部を閉じた状態で両側の柱材８０，８０の間に面一状態に並び、開口部を開けるときには離反方向へ平行移動し、所定の隙間をもって重なり合う（図８及び図９）。この連動のために、両側の戸本体１０Ａ，１０Ｃは、中央の戸本体１０Ｂに対して連結機構５０，５０によりそれぞれ連結されている。
【００２６】
各連結機構５０は、図７に示すように、中央の戸本体１０Ｂの側端部上面に取付けられた水平な回動レバー５１を有している。回動レバー５１は、戸本体１０Ｂの側端部上面に垂直な支持軸５２により回動自在に取付けられている。回動レバー５１の先端部には、連結すべき戸本体の上面に形成されたカム溝６０に挿入されるカムピン５３が下向きに取付けられている。カムピン５３は、支持軸５２に対して変位しており、具体的には、回動レバー５１が戸本体に平行な初期位置にある状態で、支持軸５２を通る平行線に対して戸本体１０Ａ，１０Ｃが離反する側へ変位している。
【００２７】
カム溝６０は、開放側（反連結側）の側縁部から戸本体との連結部側の側縁部へ掛けて形成された直線部６１と、その連結部側に連設された弧状の係合部６２とからなる。弧状の係合部６２は、直線部６１に対してカムピン５３の変位側（戸本体１０Ａ，１０Ｃの離反側）へ膨出しており、中央の戸本体１０Ｂに対してこれに連結される戸本体が面一状態に並んだときにカムピン５３が嵌合し、回動レバー５１を戸本体に平行な初期位置に保持する。この保持のために、回動レバー５１は図示されないスプリングにより、カムピン５３が係合部６２に嵌合する方向へ付勢されている。
【００２８】
戸本体１０Ｂとこれに連結される両側の戸本体１０Ａ，１０Ｂとの対向側面は、干渉を回避するためと、スムーズな重合のために、ほぼ平行な傾斜面に形成されている。
【００２９】
戸本体１０Ａ，１０Ｂ，１０Ｃの間で共用される１本の下レール３０は、図１０及び図１１に示すように、中央の戸本体１０Ｂに対してはガイドピン１５により連結され、両側の戸本体１０Ａ，１０Ｃに対しては実質的に同じ構造の案内機構７０，７０によりそれぞれ連結されている。
【００３０】
各案内機構７０は、戸本体１０Ａ，１０Ｃの下面に取付けられた２本の支持ピン７１，７２と、下レール３０に係合する２本のガイドピン７３，７４とを備えている。２本の支持ピン７１，７２の間に一方のガイドピン７３が位置しており、これらがＶ字状に組み合わされた２本の連結レバー７５，７６により連結されている。２本の連結レバー７５，７６は、戸本体１０Ａ，１０Ｃを下ガイド３０から所定距離離反した位置に保持すると共に、連結レバー７６にガイドピン７２が嵌合する貫通孔を長孔とすることにより下ガイド３０に対して伸縮し、一直線に並んだ状態で戸本体１０Ａ，１０Ｃを下ガイド３０上に位置させる。
【００３１】
他方のガイドピン７４は、支持ピン７２と別の連結レバー７７により連結されている。連結レバー７７は、連結レバー７５に平行であり、戸本体１０Ａ，１０Ｃが下ガイド３０上に位置したときに連結レバー７５，７６と同一直線上に並び、戸本体１０Ａ，１０Ｃの下面に取付けられたストッパー７９に当接することにより、戸本体１０Ａ，１０Ｃが下ガイド３０上に保持する。そして、連結レバー７５，７６，７７はスプリング７８により、直線状に並ぶ方向に付勢されている。
【００３２】
なお、戸本体１０Ａ，１０Ｂ，１０Ｃに各装備される案内機構７０、ガイドピン１５、案内機構７０は、戸本体１０Ａ，１０Ｂ，１０Ｃが完全に重なった状態、即ち戸本体１０Ａ，１０Ｂ，１０Ｃが完全に開いた状態で相互に干渉しないように、戸本体１０Ａの案内機構７０については開放側（反連結側）の端部に、ガイドピン１５については戸本体１０Ｂの中央部に、戸本体１０Ｃの案内機構７０については開放側（反連結側）の端部にそれぞれ取付けられている。
【００３３】
次に、本実施形態に係る引き違い戸の動作について、主に図８及び図９により説明する。図８（ａ）〜（ｃ）は３枚の戸本体１０Ａ，１０Ｂ，１０Ｃが開いた状態から徐々に閉じていく過程を段階的に示し、図９（ａ）〜（ｃ）は３枚の戸本体１０Ａ，１０Ｂ，１０Ｃが更に閉じられて開口部を完全に閉止するまでを段階的に示している。
【００３４】
開口部の両側に設けられた柱材８０，８０の間に３枚の戸本体１０Ａ，１０Ｂ，１０Ｃがスライド可能に設けられている。開口部が完全に開放された状態のとき、図８（ａ）に示すように、３枚の戸本体１０Ａ，１０Ｂ，１０Ｃは完全に重なった状態となる。
【００３５】
具体的に説明すると、中央の戸本体１０Ｂは、固定された中央の上レール１０Ｂにより横行可能に支持されており、図８（ａ）では左端に位置している。図で両側の戸本体１０Ａ，１０Ｃでは、連結機構５０，５０の回動レバー５１，５１が初期位置からほぼ直角に回転し、カムピン５３，５３がカム溝６０，６０の各直線部６１の開放側（反連結側）の端部に嵌合している。回動レバー５１，５１が初期位置からほぼ直角に回転することにより、戸本体１０Ａ，１０Ｃは戸本体１０Ｂから最も離れた状態に保持され、これに伴い、両側の上レール２０Ａ，２０Ｃは中央の上レール２０Ｂから最も離れた状態に保持される。
【００３６】
両側の戸本体１０Ａ，１０Ｃの下方では、それそれの案内機構７０で連結レバー７５，７６，７７がスプリング７８による付勢力に抗して最大角度で傾斜することにより、戸本体１０Ａ，１０Ｃが下レール３０から離れた状態に保持される〔図１１（ａ）参照〕。
【００３７】
この状態から戸本体１０Ａ，１０Ｂ，１０Ｃを閉じるときは、図８（ｂ）（ｃ）に示すように、図で左側の戸本体１０Ａに対して、中央の戸本体１０Ｂを右側へ横行させ、且つ中央の戸本体１０Ｂに対して右側の戸本体１０Ｃを右側へ横行させる。横行させる順番は問わず、先に右側の戸本体１０Ｃを右側へ横行させ、その後に中央の戸本体１０Ｂを右側へ横行させてもよい。
【００３８】
左側の戸本体１０Ａに対して中央の戸本体１０Ｂが横行するとき、回動レバー５１は初期位置からほぼ直角に回転した状態を維持し、カムピン５３がカム溝６０の直線部６１を開放側（反連結側）の端部から連結側の端部まで移動する。中央の戸本体１０Ｂに対して右側の戸本体１０Ｃが横行するときも、回動レバー５１は初期位置からほぼ直角に回転した状態を維持し、カムピン５３はカム溝６０の直線部６１を開放側（反連結側）の端部から連結側の端部まで移動する。
【００３９】
このため、戸本体１０Ａ，１０Ｂ，１０Ｃは所定の間隔で離れた平行状態を維持し、両側の上レール２０Ａ，２０Ｃも中央の上レール２０Ｂから離れた平行状態を維持する。
【００４０】
戸本体１０Ｂのカムピン５３，５３が両側の戸本体１０Ａ，１０Ｃのカム溝６０，６０の各直線部６１の連結側の端部まで移動すると、両側の上レール１０Ａ，１０Ｃが中央の上レール１０Ｂに接近する方向へ付勢されていることにより、カムピン５３，５３がカム溝６０，６０の各係合部６２に嵌合する。
【００４１】
その後も引続き戸本体１０Ｂ，１０Ｃに開放方向の力を加えると、図９（ａ）（ｂ）に示すように、回動レバー５１，５１が直角状態から傾斜する。そうすると、両側の上レール２０Ａ，２０Ｃがスプリング２５，２５に引っ張られて中央の上レール２０Ｂの方へ平行移動し、回動レバー５１，５１は初期位置である直線状態へ近づく。
【００４２】
両側の上レール２０Ａ，２０Ｃが中央の上レール２０Ｂに最も接近すると、図９（ｃ）に示すように、戸本体１０Ａ，１０Ｂ，１０Ｃは面一状態に並び、開口部を完全に閉止する。このときも、連結機構５０，５０のカムピン５３，５３はカム溝６０，６０の係合部６２，６２に嵌合し続け、回動レバー５１，５１はスプリングによる付勢力により、初期位置である直線状態を維持する。このため、戸本体１０Ａ，１０Ｂ，１０Ｃは開放方向の外力を受けない限り、面一状態に並んだ閉止状態を維持する。
【００４３】
このとき、両側の戸本体１０Ａ，１０Ｃの下方では、それそれの案内機構７０で連結レバー７５，７６，７７が直線状に並び弾性保持されることにより、戸本体１０Ａ，１０Ｃが戸本体１０Ｂと共に下レール３０の真上に保持される〔図１１（ｄ）参照〕。
【００４４】
戸本体１０Ａ，１０Ｂ，１０Ｃを閉じた状態から開けるとき、例えば図８及び図９で左側へ開けるときは、右側の戸本体１０Ｃに対して開放方向の外力（左側への外力）を加える。ここで、連結機構５０，５０のカムピン５３，５３は、カム溝６０，６０の係合部６２，６２に嵌合し、且つ嵌合方向に付勢されている。また、カムピン５３，５３と支持軸５２，５２は、レールに平行な直線に対して変位しており、具体的には、カムピン５３，５３に対して支持軸５２，５２が上レール１０Ａ，１０Ｃの離反方向へ変位している。
【００４５】
このため、右側の戸本体１０Ｃに対して開放方向の外力（左方への外力）を加えると、図９（ｃ）（ｂ）（ａ）に示す順番で、回動レバー５１，５１はカムピン５３，５３を支点に回転し、両側の戸本体１０Ａ，１０Ｃを中央の戸本体１０Ｂから離れる方向へ平行移動させる。このとき、両側の戸本体１０Ａ，１０Ｃの平行移動に両側の上レール１０Ａ，１０Ｂが追従することは前述のとおりである。
【００４６】
更に力を加え続けると、両側の戸本体１０Ａ，１０Ｃは、両側の上レール１０Ａ，１０Ｂと共に中央の戸本体１０Ｂから最も離れた状態まで平行移動する〔図８（ｃ）〕。このとき、カムピン５３，５３はカム溝６０，６０の係合部６２，６２から出て直線部６１，６に入る。更に力を加え続けると、カムピン５３，５３がカム溝６０，６０の直線部６１，６１内を連結側から反連結側（開放側）へ移動する〔図８（ｂ）（ａ）〕。かくして、戸本体１０Ａ，１０Ｂ，１０Ｃは再び完全に重なり、開口部は開放状態になる。
【００４７】
このように、本実施形態に係る引き違い戸では、戸本体１０Ａ，１０Ｂ，１０Ｃを閉じたときに面一状態に並ぶように、両側の戸本体１０Ａ，１０Ｃが中央の戸本体１０Ｂに対して平行移動するが、この平行移動は、両側の戸本体１０Ａ，１０Ｃを支持する両側の上ガイド２０Ａ，２０Ｃが、中央の上ガイド２０Ｂに対して平行移動することにより実行される。即ち、平行移動する戸本体１０Ａ，１０Ｃは、これを支持する両側の上ガイド２０Ａ，２０Ｃと連動する。このため、両者の位置関係が変化せず、上ガイド２０Ａ，２０Ｃに偏荷重が付加される事態が回避されることにより、戸本体１０Ａ，１０Ｃのスムーズな動作が保証される。
【００４８】
なお、上記実施形態では、引き違い戸は３枚構成であるが、２枚構成でもよく、特にその戸の枚数を限定するものではない。
【図面の簡単な説明】
【００４９】
【図１】本発明の一実施形態に係る引き違い戸の上レールの平面図である。
【図２】同引き違い戸の戸本体の正面図である。
【図３】上レールのリンク部を離反状態について示す平面図である。
【図４】図３中のＡ−Ａ線矢示図である。
【図５】上レールのリンク部を接近状態について示す平面図である。
【図６】同リンク部の側面図である。
【図７】隣接する戸本体間の連結機構を示す平面図である。
【図８】（ａ）〜（ｃ）は同引き違い戸が開く過程の前半を段階的に示す平面図である。
【図９】（ａ）〜（ｃ）は同引き違い戸が開く過程の後半を段階的に示す平面図である。
【図１０】同引き違い戸の下端部を案内する案内機構の正面図である。
【図１１】（ａ）〜（ｄ）は同案内機構の動作を段階的に示す平面図である。
【符号の説明】
【００５０】
１０Ａ，１０Ｂ，１０Ｃ  戸本体
１１Ａ，１１Ｂ，１１Ｃ  ローラ
１２，１３  支持金具
２０Ａ，２０Ｂ，２０Ｃ  上レール
２１  ベース板
２２  支持軸
２３  支持レバー
２５  スプリング
３０  下レール
４０  カバー
５０  連結機構
５１  回動レバー
５２  支持軸
５３  カムピン
６０  カム溝
６１  直線部
６２  係合部
７０  案内機構
７１，７２  支持ピン
７３，７４  ガイドピン
７５，７６，７７  連結レバー
７８  スプリング
７９  ストッパー
【図１】
2005188070.tif 000003
【図２】
2005188070.tif 000004
【図３】
2005188070.tif 000005
【図４】
2005188070.tif 000006
【図５】
2005188070.tif 000007
【図６】
2005188070.tif 000008
【図７】
2005188070.tif 000009
【図８】
2005188070.tif 000010
【図９】
2005188070.tif 000011
【図１０】
2005188070.tif 000012
【図１１】
2005188070.tif 000013